(57)【要約】前面（ＦＳ）と後面（ＢＳ）を有する基板（Ｓ）と、基板の後面（ＢＳ）に固定された平面アンテナ素子（ＡＥ）と、基板を貫く少なくとも第１の接続手段（ＶＨ１）を介してアンテナ素子（ＡＥ）に接続されて且つアンテナ素子（ＡＥ）の下方に配置されて且つ基板の前面（ＦＳ）に固定される、少なくとも１つのコンポーネントを含むグループと、アンテナ素子（ＡＥ）によって引き起こされる電磁障害からコンポーネントの少なくともグループを隔離するために接地端子に接続する、基板（Ｓ）に埋め込まれた低電気抵抗の埋設層（ＢＬ）と、を備えた無線周波通信装置のためのアンテナデバイス。
2009530895.tif 000002
【特許請求の範囲】
【請求項１】
前面と後面からなる基板と、平面アンテナ素子と、前記アンテナ素子に接続される少なくとも１つのコンポーネントを含むグループと、を備える、無線通信装置のためのアンテナデバイスにおいて、
前記平面アンテナ素子は前記基板の後面に固定され、
前記少なくとも１つのコンポーネントを含むグループは領域内の基板の前面に固定され、前記アンテナ素子の裏にあり、且つ、前記基板を貫く少なくとも第１の接続手段を介して前記アンテナ素子と接続し、
前記アンテナ素子によって引き起こされる電磁障害から前記コンポーネントを含む少なくとも１つのグループを隔離するために接地端子に接続するための前記基板に埋め込まれた低電気抵抗の埋設層を備える。
【請求項２】
前記埋設層は、前記アンテナ素子によって占有される面に少なくとも等しい面に伸びており、
前記アンテナ素子は前記埋め込み層の上方に完全に設置されている、
請求項１に記載のアンテナデバイス。
【請求項３】
前記埋設層は前記アンテナ素子の反射器として作用するように配置されている、請求項１または請求項２に記載のアンテナデバイス。
【請求項４】
前記埋設層は前記グループの少なくとも１つのコンポーネントの一部である、請求項１または請求項２に記載のアンテナデバイス。
【請求項５】
前記アンテナ素子は放射素子である、請求項１から４の何れかに記載のアンテナデバイス。
【請求項６】
前記放射素子は、
少なくとも１つのスロットと、
前記基板を貫く第１の接続手段を介して少なくとも１つのコンポーネントを含む前記グループに接続する第１の端子と、
前記基板を貫く第２の接続手段を介して前記埋設層に接続する第２の端子とを備える、請求項５に記載のアンテナデバイス。
【請求項７】
前記放射素子はパッチアンテナ素子である、請求項５に記載のアンテナデバイス。
【請求項８】
前記放射素子は伝送ラインである、請求項５に記載のアンテナデバイス。
【請求項９】
少なくとも１つの追加的なアクティブコンポーネントをさらに備え、
前記追加的なアクティブコンポーネントは前記基板の前面に固定され、且つ、前記グループの少なくとも１つのコンポーネントに電気的に接続される、
請求項１から請求項８の何れかに記載のアンテナデバイス。
【請求項１０】
前記追加的なアクティブコンポーネントは無線通信コンポーネントである、請求項９に記載のアンテナデバイス。
【請求項１１】
前記グループの少なくとも１つのコンポーネントは無線通信コンポーネントを形成する、請求項１から請求項８の何れかに記載のアンテナデバイス。
【請求項１２】
前記無線通信コンポーネントはアクティブ低ノイズ受信機である、請求項１０または請求項１１に記載のアンテナデバイス。
【請求項１３】
前記無線通信コンポーネントは送信機である、請求項１０または請求項１１に記載のアンテナデバイス。
【請求項１４】
前記無線通信コンポーネントは送受信機である、請求項１０または請求項１１に記載のアンテナデバイス。
【請求項１５】
前記グループの少なくとも１つのコンポーネントは、前記アンテナの出力インピーダンスをアクティブ低ノイズ受信機の入力に整合させる低損失マッチングフィルターを規定し、
且つ／又は、
前記グループの少なくとも１つのコンポーネントは、少なくとも１つのデカップリングコンデンサーの少なくとも一部を規定する、
請求項１０と請求項１２の結合によるアンテナデバイス。
【請求項１６】
前記基板の前面に固定された接続パッドをさらに備え、
前記接続パッドは、前記埋め込み層と前記グループの少なくとも１つのコンポーネントとに接続され、
且つ／又は、
前記接続パッドは、前記アクティブコンポーネントの少なくとも１つに接続し、
前記接続パッドは、前記無線装置のプリント回路基板に接続されるようにする、
請求項１から請求項１５の何れかに記載のアンテナデバイス。
【請求項１７】
前記基板は高電気抵抗の基板である、請求項１から請求項１６の何れかに記載のアンテナデバイス。
【請求項１８】
前記基板は、少なくともシリコンと半絶縁性III/V族の材料を含む群から選定した材料からなる、請求項１７に記載のアンテナデバイス。
【請求項１９】
前記埋設層はドープシリコンで作られる、請求項１から請求項１８の何れかに記載のアンテナデバイス。
【請求項２０】
前記埋設層はパッシブ集積化プロセスの手段によって実現される、請求項１から請求項１９の何れかに記載のアンテナデバイス。
【請求項２１】
請求項１から請求項２０の何れかに記載のアンテナデバイスを備える無線周波通信装置。
【発明の詳細な説明】
【技術分野】
【０００１】
本発明は無線周波（ＲＦ）通信装置（またはモジュール）の分野に関し、より正確にはこのようなＲＦ通信装置（またはモジュール）に含まれる、または接続される、アンテナデバイスに関する。
【背景技術】
【０００２】
ここで云う「通信装置」は、それがモバイルであるか否かに拘らずに、携帯電話および／または無線ＬＡＮおよび／または通信網および／または位置探査ネットワークに、対しておよび／またはからのＲＦ信号を、受信および／または送信することに適合したすべての装置を意味する。とくに、携帯電話（例えばＧＳＭ／ＧＰＲＳ、ＵＭＴＳ、ＷｉＭａｘ携帯電話）、携帯情報端末（ＰＤＡ）、ラップトップコンピューター、ＰＣＭＣＩＡカード（ある装置との通信機能を有する）、ＵＳＢドングル（コンピュータとそれらの周辺機器で使用する）、衛星位置探査デバイス（例えば、ＧＰＳ）、レーダー電波探知のためのマイクロ波受信機（例えば、衝突防止機能つき自動車のレーダー）、テレビ受信器、ＲＦＩＤ（無線識別）デバイス、またはＮＦＣ（近距離無線通信）デバイスを意味する。
【０００３】
さらに、ここで云う「アンテナデバイス」は、基板と平面アンテナ素子を有し、接続手段を介してアンテナ素子に接続された（例えば、ＬＣマッチングフィルターおよび／あるいはデカップリングコンデンサーのような）パッシブコンポーネントおよび／あるいは（例えば、低ノイズ受信機のような）アクティブコンポーネントの両方あるいは少なくとも一方を備えるデバイスを意味する。
【０００４】
アンテナデバイスが極めて短い波長で動作するように想定されているとき、（放射）アンテナ素子は数ミリメートル（通常、動作している波長の４分の１）のオーダーの大きさを持つ可能性がある。だから、半導体あるいは半絶縁性基板であり得る搬送体にアンテナ素子が固定される（あるいは統合される）。アンテナ素子が作動しているときに、不幸にもそれが付近の受動素子や能動素子の動作に有害な電磁障害を引き起こす。だから、アンテナ素子とパッシブコンポーネントおよびアクティブコンポーネントは、アンテナの電磁障害が無視できる状態になる距離を隔てなければいけない。従って、アンテナデバイスは大きく、そのアンテナ素子と付随する複雑な電気的機能は同じ搬送体の中に統合することができない。
【０００５】
近年、低電気抵抗シリコンの多層基板の同じ面に擬似八木タイプのアンテナ素子とそれに付随する部品を統合する方法が提案された。アンテナとその統合された部品は切断層によって部分的に分離され、その切断層は基板内で規定されてアンテナ素子に接続されている。このような解決方法が、Zhang YP "Recent advances in integration of antennas on silicon chip and on ceramic package", CONF-2005 IEEE International Workshop on Antenna Technology: Small Antennas and Novel Metamatehals, 7-9 March 2005 - Singapore, IEEE Piscataway, NJ, USA.に記載されている。この解決方法はいくつかの部品をアンテナの放射から部分的隔離することを可能にする。しかし、この方法は高価で複雑なプロセスを必要とし、コンシューマ向け装置の中で一般に利用されるアンテナとチップの製造に適したものではない。さらに、搬送体（つまり基板）の一方の面しか利用されない。だから、搬送体が非常に大きいのではない限り、小型化された現実的な集積アンテナデバイスを得る可能性はない。
【発明の開示】
【発明が解決しようとする課題】
【０００６】
そこで、本発明の目的はこの状況を改善することであり、少なくともアンテナデバイスの大きさを縮小することにある。
【課題を解決するための手段】
【０００７】
この目的のために、前面と後面とを有する基板と、平面アンテナ素子と、アンテナ素子と接続された少なくとも１つのコンポーネントのグループを備えた、ＲＦ通信装置のためのアンテナデバイスを提供する。
【０００８】
このアンテナデバイスは以下によって特徴付けられる。
平面アンテナ素子は基板の後面に固定されている。
少なくとも１つのコンポーネントを含むグループは基板の前面に固定され（すなわち、集積化されあるいは規定されあるいは接触される）、アンテナ素子の反対に位置する領域にあり、そして基板を通過する少なくとも第１の接続手段を介してアンテナ素子と接続されている。
接地するために基板の中に埋め込まれた低電気抵抗の埋設層を備え、アンテナ素子によって引き起こされる電磁障害から、少なくとも１つのコンポーネントを含むグループを低電気抵抗の層が隔離する。
【０００９】
本発明に関わるＩＣアセンブリは、とくに以下の追加的な特徴を独立あるいは組み合わせて含むことができる。
埋設層は、アンテナ素子によって占有される面と少なくとも等しい面の上に拡張されることが望ましい。
埋設層は、アンテナ素子の反射器として作動するように配置してもよい。
埋設層は、コンポーネントの接点としても利用可能である。たとえば、グループの少なくとも１つのコンポーネントの一部分を規定することも可能である。
アンテナ素子は放射素子である。
この放射素子はスロットアンテナであり、少なくとも１つのスロットと、基板を貫く第１の接続手段を介してコンポーネントのグループと接続された第１の端子と、基板を貫く第２の接続手段を介して埋設された層に接続された第２の端子とを備える。
第１の変形例では、放射素子をパッチアンテナ素子としてもよい。
第２の変形例では、放射素子を伝送線としてもよい。
第１の接続手段および／または第２の接続手段はビア孔としてもよい。
基板の前面に固定されて且つグループの少なくとも１つのコンポーネントと電気的に接続される、少なくとも１つの追加的なアクティブコンポーネント（例えば、無線通信コンポーネント、アクティブ低ノイズ受信機（あるいはダウンコンバーター）、送信機、あるいは送受信機）を備えてもよい。
ある変形例では、グループの少なくとも１つのコンポーネントは、例えばアクティブ低ノイズ受信機（あるいはダウンコンバーター）のような無線通信コンポーネントを規定してもよい。
グループの少なくとも１つのコンポーネントは、アクティブ低ノイズ受信機の入力にアンテナの出力インピーダンスを整合するように配置した低損失マッチングフィルターを定義してもよく、グループの少なくとも１つのコンポーネントは、デカップリングコンデンサーによって少なくとも部分的に提供された分離機能を定義してもよい。
グループのコンポーネントの少なくとも１つと、あるいは／および、ＲＦ通信装置のプリント回路基板（ＰＣＢ）に接続するためのアクティブコンポーネントの少なくとも１つと、埋設層を電気的に接続する接続パッドを備えてもよい。
基板は、例えばシリコンあるいは他の半絶縁性III/V族の材料で作られた高電気抵抗の基板としてもよい。
埋設層はドープシリコンで作られてもよい。
埋設層は受動的集積化プロセスによって実現してもよい。
【００１０】
また、本発明は上のように導入したアンテナデバイスを含むＲＦ通信装置を提供する。そのようなＲＦ通信装置には、例えば、携帯電話、携帯型無線デバイス、ＲＦＩＤデバイス、ＮＦＣデバイスなどが挙げられる。
【００１１】
本発明のその他の特徴および利点は、以下に記載される詳細な説明と添付された図面の精査によって明らかにされる。
【００１２】
添付された図面は、本発明の達成に役立つだけではなく、必要ならば本発明の定義にも寄与する。
【発明を実施するための最良の形態】
【００１３】
本発明によるアンテナデバイスＡＤの主要な特性を導入するために、初めに図1を参照する。
【００１４】
以下の記載では、アンテナデバイスＡＤは、例えば携帯電話のような、ＲＦ通信装置の一部であることを想定されていると考えられる。しかし、本発明がこの種のＲＦ通信装置に限定されるものではないことに注意することが重要である。
【００１５】
実際、携帯電話および／あるいは無線ＬＡＮおよび／あるいは通信網および／あるいは位置探査ネットワークおよび／あるいはレーダーおよび／あるいはＲＦＩＤシステム、に対しておよび／あるいからのＲＦ信号、を受信および／あるいは送信することに適合したあらゆるＲＦ通信装置あるいはモジュールに、それがモバイルであるか否かに拘らず、本発明は適用できる。よって、携帯情報端末（ＰＤＡ）、ラップトップコンピューター、衛星位置探査デバイス（例えばＧＰＳデバイス）、ドングル、テレビ受信機、レーダーマイクロ波受信機（たとえば、衝突回避自動車のレーダー）、ＲＦＩＤデバイス、あるいはＮＦＣデバイスにおいても本発明は適用できる。
【００１６】
とくに本発明はコンシューマ向け装置（あるいはモジュール）の中で利用されることができ、より特別には無線装置（あるいはモジュール）の中で利用することができる。さらに、例えばＵＳＢタイプの、パソコンあるいはＵＳＢコネクターをもった他のデバイスに機能を追加するためのドングルの中で、本発明は提供され得る。
【００１７】
図１に示されるように、本発明に関わるアンテナデバイスＡＤは、少なくとも基板Ｓと、平面アンテナ素子ＡＥと、少なくとも１つのコンポーネントを含む少なくとも１つのグループＧ１と、低電気抵抗の層ＢＬと、を備える。
【００１８】
基板Ｓは、前面ＦＳと前面ＦＳの反対側にある後面ＢＳとを備える。この基板Ｓは高電気抵抗性を有するが好ましい。だから、シリコンあるいは例えばIII/V族物質のような他の半絶縁性の基板によって作ることができる。
【００１９】
平面アンテナＡＥは、基板の後面ＢＳに固定されている。ここでは、「固定」という用語によって、基板の後面ＢＳに付着させることも、基板の後面ＢＳの上または中に規定（集積化もしくはパターニング）することも意味する。
【００２０】
図２に示されるように、平面アンテナＡＥは、少なくとも１つのスロットＳＬを備えたスロットアンテナ素子とすることができる。図示された例では、スロットＳＬの形状は長方形である。しかし、これは必須要件ではない。実際、スロットＳＬは直線または折り畳まれた形状（例えばＬ字型）となり得る。さらに、ひとつ以上のスロットＳＬがアンテナ素子ＡＥの中に規定されてもよい。それは例えば作動帯域幅を広げる目的で実施される。
【００２１】
この場合、スロットＳＬの互いに反対側に形成された第１の部分Ｐ１と第２の部分Ｐ２とをアンテナ素子ＡＥは備える。第１の部分Ｐ１と第２の部分Ｐ２はそれぞれ端子Ｔ１と端子Ｔ２に接続されている。第１の端子はポートを形成し、基板Ｓを貫くビア孔などの第１の接続手段ＶＨ１を介してコンポーネントのグループＧ１と接続している。また、第２の端子はポートを形成し、基板Ｓを貫くビア孔などの第２の接続手段ＶＨ２を介して低電気抵抗の層ＢＬと接続している。アンテナ素子ＡＥによって受信された信号を処理するためにコンポーネントのグループＧ１に送信するためにも、コンポーネントのグループＧ１によって出力された信号を放射のためにアンテナ素子ＡＥに送信するためにも、第１のビア孔ＶＨ１は配置されている。第２のビア孔ＶＨ２は、低電気抵抗の層ＢＬに接続することが想定されている接地端子にアンテナ素子ＡＥを接続するように配置されている。
【００２２】
第１の変形例では、放射アンテナ素子として作動する（曲がりくねっているか否かに拘らず）単純な送信線をアンテナ素子とすることができる。
【００２３】
第２の変形例では、平面アンテナＡＥは、図３に示されるようなパッチアンテナ素子としてもよい。この場合、アンテナ素子ＡＥは、基板Ｓを貫くビア孔などの第１の接続手段ＶＨ１を介してコンポーネントのグループＧ１と接続するたった一つの端子Ｔを備える。そして、アンテナ素子ＡＥで受信した信号を処理するためにコンポーネントのグループＧ１に送信するためにも、コンポーネントのグループＧ１によって出力された信号を放射のためにアンテナ素子ＡＥに送信するためにも、このビア孔ＶＨ１は配置されている。アンテナ素子ＡＥは低電気抵抗の層ＢＬを通して接地端子と容量結合されている。
【００２４】
コンポーネントのグループＧ１は、基板の前面ＦＳにあるアンテナ素子ＡＥの下側に位置する領域に固定されている。ここでは「固定」という用語によって、基板の前面ＦＳに直接的あるいは間接的に付着させることも、基板の後面ＢＳの上または中に規定（集積化もしくはパターニング）することも意味する。
【００２５】
図１に示された例では、前面ＦＳのレベルにある基板Ｓの中にコンポーネントのグループＧ１が集積化（つまり規定）されている。このグループＧ１は（それ自身がアンテナ素子ＡＥに）第１のビア孔と電気的に接続されている。この例では、いくつかの選択された機能を実行するために、他のコンポーネントＩＣ１が基板Ｓの中に集積化されている。たとえば、これらのコンポーネントは、外部接続のためにグループＧ１を１つあるいはいくつかの接点と接続する、単純なメタライゼイションであることが考えられる。
【００２６】
例えば、コンポーネントのグループＧ１は低損失マッチングフィルターを規定する。このようなフィルターは、例えば（受信機として作動するときに）アンテナ素子の出力インピーダンスをアクティブ低ノイズ受信機（あるいはダウンコンバーター）の入力に整合するように配置されたＬＣ集中素子によって構成される。そして図示されるように、コンポーネントのグループＧ１は、アクティブ低ノイズ受信機（あるいはダウンコンバーター）Ｇ２に電気的に接続されている。例えば、マッチングフィルターＧ１は３ｄＢよりも少ない損失となる。
【００２７】
ある変形例では、コンポーネントのグループＧ１は、分離機能を実装するための少なくとも１つあるいはより多くの（集積された）デカップリングコンデンサーを規定してもよい。
【００２８】
別の変形例では、コンポーネントのグループＧ１は、低損失マッチングフィルターと１つあるいはより多くの（集積化された）デカップリングコンデンサーを形成してもよい。
【００２９】
アクティブ低雑音受信機（あるいはダウンコンバーター）Ｇ２は、低ノイズアンプ（ＬＮＡ）、局所発信器の信号を受け取るミキサー、およびフィルターを備える。例えば、アクティブ低ノイズ受信機（あるいはダウンコンバーター）Ｇ２は、１５ｄＢの利得と６ｄＢより小さいノイズ因子となる。そして（アンテナ素子から受け取った）高周波信号を中間周波（ＩＦ）信号（例えば、ゼロＩＦまたは数ＭＨｚＩＦあるいは数ＧＨｚＩＦ）にダウンコンバートする。図１に示された例では、アクティブ低ノイズ受信機（あるいはダウンコンバーター）Ｇ２は、ダイＤＩの中に規定（あるいは集積）されている。そしてダイＤＩは、ハンダによる導電性の隆起部（マイクロボール）ＭＢのような接続手段を介して基板の前面ＦＳに固定（つまり付着）されている。そして、アクティブ低ノイズ受信機（あるいはダウンコンバーター）Ｇ２は、少なくとも１つの導電性の隆起物ＭＢを介してコンポーネントのグループＧ１と電気的に接続している。
【００３０】
例えば、ダイはシリコンあるいはIII/V族の基板である。
【００３１】
変形の実施例では、グループＧ１の少なくとも１つのコンポーネントが上で説明したアクティブ低ノイズ受信機(または、ダウンコンバーター)を規定できることに注意することは重要である。そのうえ例えば、上で説明した低損失マッチングフィルター、そして/または、少なくとも１つのデカップリングコンデンサーの一部、を規定するグループＧ１の１つあるいは他のいくつかの成分に、このアクティブ低ノイズ受信機(または、ダウンコンバーター)を接続することができる。この場合、低電気抵抗の層ＢＬの下に位置している領域の基板の前面ＦＳに付けられているダイの中にグループＧ１を形成できる。
【００３２】
低電気抵抗の層ＢＬは基板Ｓに埋め込まれ、アンテナ素子ＡＥによって引き起こされる電磁障害からコンポーネントを含む少なくともグループＧ１を電磁気的に隔離することができる能力を持つ接地平面を形成するための接地端子に接続することを意図している。ここでさらに、例えばアクティブ低ノイズ受信機（またはダウンコンバーター）Ｇ２などの、1つ（あるいはより多く）の他のアクティブコンポーネントあるいはパッシブコンポーネントをグループＧ１に含めることができる。
【００３３】
例えば、埋設層ＢＬはドープシリコンで作られている。シリコンパッシブ集積化プロセス（または、より一般にシリコン集積回路プロセス）で実現することができる。
【００３４】
埋設層ＢＬは、コンポーネントのグループＧ１の少なくとも１つのコンポーネントの少なくとも一部を形成するのに利用できる。例えば、グループＧ１の１つのコンポーネントによって規定される（上側の）付随した電極のデカップリングコンデンサーの（下側の）1つの接地電極を、埋設層ＢＬは規定できる。
【００３５】
基板の前面ＦＳに固定されたコンポーネント（Ｇ１、Ｇ２）の電磁的分離を最適化するために、埋め込み層ＢＬは、アンテナ素子ＡＥによって占有される前面と少なくとも等しい（好ましくはそれ以上）の前面の上に広がっている。一方、アンテナ素子ＡＥは、埋め込み層ＢＬの上方に完全に設置される。コンポーネント（Ｇ１、Ｇ２）はアンテナ素子ＡＥの下に位置し、埋め込み層ＢＬはこれらのコンポーネント（Ｇ１、Ｇ２）の電磁遮蔽物として作用する。
【００３６】
さらに、特にそれが図3に示されたものなどのパッチアンテナ素子であるときは、アンテナ素子ＡＥのための反射器として機能するように埋込層ＢＬを配置してもよい。
【００３７】
さらに、図１で示されたように、埋め込み層ＢＬは、コンポーネントのグループＧ１とアンテナ素子ＡＥを接続するためのビア孔ＶＨ１の横断を可能にするために少なくとも開口部（または穴）ＨＯを備えている。
【００３８】
図４で示されるように、いくつかの接続パッドＣＰｉ（ｉ＝１〜７）が基板の前面ＦＳに規定されてもよい。これらの接続パッドのいくつか（ＣＰ１〜ＣＰ５）は伝導回路ＣＴを介してコンポーネントＧ１とＧ２に接続している。その他のいくつか（ＣＰ６、ＣＰ７）は、埋設層ＢＬに接続されたビア孔に直接的に接続されている。例えば、これらの接続パッドＣＰｉはプリント回路基板ＰＣＢの端子に接続することが想定されている。
【００３９】
例えば、接続パッドＣＰ１は、アクティブ低ノイズ受信機（またはダウンコンバーター）Ｇ２に電力を供給するために、供給端子に接続されることが想定されている。また、接続パッドＣＰ１は、アクティブ低ノイズ受信機（またはダウンコンバーター）Ｇ２によってダウンコンバートされた中間周波数信号を供給する入力端子に接続されることが想定されている。また、接続パッドＣＰ３は、アクティブ低ノイズ受信機（またはダウンコンバーター）Ｇ２のミキサーによって利用される局所発振信号を出力する端子に接続することを意図されている。そして、接続パッドＣＰ４からＣＰ７は、それぞれ、アクティブ低ノイズ受信機（またはダウンコンバーター）Ｇ２と、低損失マッチングフィルターＧ１と、埋め込み層ＢＬ（２個）に、接地を提供するための端子に接続されることが想定されている。アクティブ低ノイズ受信機（またはダウンコンバーター）Ｇ２と伝導回路ＣＴとの間の電気接続（接続パッドＣＰ１からＣＰ４への接続と低損失マッチングフィルターＧ１）はマイクロボールＭＢを介して実施される。
【００４０】
そのような構成の例では、アンテナ素子ＡＥは、高周波電波信号を受信し、低損失マッチングフィルターＧ１へビア孔ＶＨ１を介してそれを伝送する。そして、低損失マッチングフィルターＧ１は、受信した信号をアクティブ低ノイズ受信機（またはダウンコンバーター）Ｇ２へ伝送する。アクティブ低ノイズ受信機Ｇ２は、信号を中間周波数へダウンコンバートし、それをＰＣＢの中で処理するために接続パッドＣＰ２へ（マイクロボールＭＢと付随した伝導回路ＣＴを介して）伝送する。
【００４１】
本発明が信号受信に適合した構成の例に限定されるものではないことに注意することは重要である。例えば、送信の応用にも本発明を利用することが可能である。
【００４２】
例えば、もしアンテナデバイスＡＤが２４ＧＨｚ（１／４波長がおよそ５ｍｍであることに相当する）で作動するように想定されたとき、以下のことが利用可能である。
長さがおよそ６ｍｍであり、幅がおよそ６ｍｍであり、厚さがおよそ３５０μｍであり、誘電率（εｒ）が１１であるシリコン基板Ｓ。
長さがおよそ５．８ｍｍであり、幅がおよそ５．８ｍｍであり、厚さが１μｍと５μｍとを間に含まれるドープシリコンの埋め込み層ＢＬ。なお、厚さは１μｍと２μｍとの間に含まれることがより好ましい。
長さがおよそ５ｍｍであるパッチアンテナ素子ＡＥ、または長さがおよそ５ｍｍであるスロットアンテナ素子ＡＥ、またはアンテナそしてとして作動する伝送線。
長さがおよそ１ｍｍであり、幅が１ｍｍであるアクティブダイの上に形成された低ノイズ受信機（またはダウンコンバーター）Ｇ２に接続した低損失マッチング（ＬＣ）フィルターＧ１。
【００４３】
アンテナ素子と（1つ以上の電気的に複雑な機能を定められる）コンポーネントは同じ搬送体（より正確には基板の前面と後面）の中に集積化可能であるので、システム・イン・パッケージ（ＳｉＰ）の形態でアンテナデバイスを製造することが可能である。
【００４４】
さらに、本発明のアンテナデバイスの大きさは主に適用周波数に依存するので、このアンテナデバイスはマイクロ波とミリメートル波への応用によく適する。また、本発明のアンテナデバイスに小型センサーをさらに備えることも可能である。なぜなら、アンテナ素子によって引き起こされる電磁障害を受けることなく、そのようなセンサーは作動するからである。
【００４５】
本発明は、例として挙げられた上述のアンテナデバイスとＲＦ通信装置（またはモジュール）に限定されず、請求の範囲で当業者が考えることが可能なあらゆる代替実施例を包含する。
【００４６】
だから、先述の記述において、少なくとも低損失マッチングフィルターを形成するコンポーネントのグループＧ１と、アクティブ低ノイズ受信機を少なくとも形成する追加的なアクティブコンポーネントＧ２とを含む、本発明によるアンテナデバイスの実施例が説明された。しかし、一般的に言えば、グループＧ１の少なくとも１つのコンポーネントまたは追加が見込まれるアクティブコンポーネントＧ２は、たとえばアクティブ低ノイズ受信機（またはダウンコンバーター）または送信機もしくは送受信機のような無線通信コンポーネントを規定することができる。
【００４７】
本明細書および請求項の中で、単数形の用語で記載される要素は、複数の要素の存在を除外するものではない。さらに、「備える」「有する」という用語は、列挙されたもの以外の要素またはステップの存在を除外するものではない。
【図面の簡単な説明】
【００４８】
【図１】図1は、本発明によるアンテナデバイスの第１の実施例を断面図によって図式的に示す。
【図２】図2は、図1に示されたアンテナデバイスの第１の実施例に用いることを想定したスロットアンテナ素子の第１の実施例を図式的に示す。
【図３】図3は、本発明によるアンテナデバイスの第２の実施例用に用いることを想定したパッチアンテナ素子の第２の実施例を図式的に示す。
【図４】図４は、図３に示されたパッチ素子を含み、本発明によるアンテナデバイスの第２の実施例を前面図を用いて図式的に示す。
【図１】
2009530895.tif 000003
【図２】
2009530895.tif 000004
【図３】
2009530895.tif 000005
【図４】
2009530895.tif 000006
【国際調査報告】
2009530895.tif 000007
2009530895.tif 000008